(57)【要約】      （修正有）【課題】使い勝手をさらによくした吊り下げ支柱保持衣服を提供する。【解決手段】吊り下げ支柱保持衣服１は、衣服本体３を主要な構成部材とする。衣服本体３の前身頃３ｂ外側の、左右いずれかに固定された縦細ポケット５と、衣服本体３の外側に設けられた押圧ベルト３１と、を備え、縦細ポケット５は、上端部に点滴容器吊り下げ構造９が設けられた吊り下げ支柱７を上端開口から差し入れて底部上に起立保持するように構成され、押圧ベルト３１は、差し入れられた吊り下げ支柱７を、縦細ポケット５の上から患者胴体に押圧することで吊り下げ支柱７の支持を補助するように構成されている、ことを特徴とする。縦細ポケット５に差し入れた吊り下げ支柱７を上から押圧ベルト３１で押圧することでより安定的に保持できる。安定保持は、患者の活動範囲を広げる、すなわち使い勝手がよくなる。【選択図】図１
0003230543.tif 000002
【実用新案登録請求の範囲】
【請求項１】
前身頃と後身頃とを少なくとも有する衣服本体と、
当該前身頃もしくは当該後身頃のうち少なくとも一方の外側の、正面視左右中央より右寄りもしくは左寄りの少なくとも一方に固定された上端開放の縦細ポケットと、
当該衣服本体の外側に設けられた横方向に長い少なくとも１本の押圧ベルトと、を備え、
当該縦細ポケットは、上端部に点滴容器吊り下げ構造が設けられた吊り下げ支柱を少なくとも当該点滴容器吊り下げ構造が露出する状態で上端開口から差し入れて底部上に起立保持するように構成され、
当該押圧ベルトは、当該縦細ポケットの中に差し入れられた吊り下げ支柱を、当該縦細ポケットの上から患者胴体に押圧することで当該吊り下げ支柱の支持を補助するように構成されている、
ことを特徴とする吊り下げ支柱保持衣服。
【請求項２】
前記縦細ポケットの上端開口は前記前身頃の胸部に該当する位置に配されるとともに、
前記前記縦細ポケットの底部は前記前身頃の腹部に該当する位置に配され、
前記押圧ベルトは、第１の押圧ベルトと第２の押圧ベルトから少なくとも構成され、
当該第１の押圧ベルトは前記衣服本体の腹部に配されるとともに、当該第２の押圧ベルトは当該第１の押圧ベルトと前記衣服本体の脇の下の間に配され、
少なくとも当該第１の押圧ベルトと患者胴体の間に介在して前記吊り下げ支柱から受ける押圧力を緩衝するための緩衝材を、さらに備える、
ことを特徴とする請求項１記載の吊り下げ支柱保持衣服。
【請求項３】
前記押圧ベルトのうち、少なくとも前記第２の押圧ベルトは、前記衣服本体に対して着脱自在かつ上下方向に位置替え可能に設けられている
ことを特徴とする請求項１又は２記載の吊り下げ支柱保持衣服。
【請求項４】
前記点滴容器吊り下げ構造に吊り下げられた点滴容器の揺動を制限する揺動制限構造が設けられている、
ことを特徴とする請求項１ないし３いずれか記載の吊り下げ支柱保持衣服の前記縦細ポケットに差し入れ可能な吊り下げ支柱。
【考案の詳細な説明】
【技術分野】
【０００１】
本考案は、床面上を走行させる点滴スタンドの代わりとなる、そして点滴容器を吊り下げた吊り下げ支柱を保持する吊り下げ支柱保持衣服に関するものである。
【背景技術】
【０００２】
従来から、点滴が必要な患者がベッドから離れるとき、患者は点滴容器が吊り下げられたキャスター付き点滴スタンドを引きながら歩かなければならない。このキャスター付きスタンドは今日においても様々な医療機関で用いられている。どうして点滴スタンドが必要なのかというと、重力によって点滴液を投与することから点滴容器（の液面）を患者の心臓より高い位置に保つ必要があるからである。このため点滴スタンドは人の身長ほどの高さがある。このように大きくてかさばる点滴スタンドをトイレや売店などに行くときでさえも伴わせなければならないということは、いくら必要なものとはいえ患者にとって負担が大きい。
【０００３】
そこで、考案されたのが、特許文献１に示される点滴用具吊り下げ具（以下、「従来の吊り下げ具」という）である。従来の吊り下げ具は、登山用リュックのように胴ベルトと一対の肩ベルトを備えていて、さらに点滴液をつりさげるフックが上の先についた支柱が設けられている。支柱は、その下の先を胴ベルトに固定して起立させるようになっていて、フックに吊り下げた点滴容器が患者の頭から上に飛び出るほどの長さに作られている。支柱の途中は両方の肩ベルトによって支えられている。特許文献１は、様々な形態の支柱が示されていて、その一つが図８に示すように、かさばりを避けるために折り畳み式になっている。
【０００４】
一方、特許文献２では、点滴容器をしまうポケットのついたジャケット（以下、「従来のジャケット」という）が提案されている。ポケットはジャケットを着る患者の心臓とほぼ同じ高さについている。先に述べたように点滴容器は心臓より高いところに保たれなければいけないが、これを満たしていない。そこで、従来のジャケットは、点滴容器に点滴を垂れさせるための圧力源としてバッテリーで動く電動空気ポンプを備えている。
【０００５】
しかしながら、従来の吊り下げ具を使用する患者は、ベッドを離れようとするとき山登りのリュックのようして吊り下げ具を背負い、胴ベルトと両肩ベルトを締める必要がある。ベッドに戻ったときはその逆で、胴ベルトと両肩ベルトを緩め吊り下げ具を身体から降ろさなければならない。これでは、点滴スタンドを伴わせる以上の負担と感じる患者も少なくない。このような形態の吊り下げ具であるから、かさばるし他に用途がないから、使用しないときの置き場所に困るという不便がある。従来の吊り下げ具には、このように使用と保管に大きな問題点を抱えている。
【０００６】
他方、従来のジャケットは、支柱やそれを支持するための胴ベルト等を有しないため従来の吊り下げ具に比べコンパクトになっているが、空気ポンプとバッテリーが必ず必要なため全体として大掛かりなものになってしまうことや、そもそもバッテリー切れになったら使えないという問題点がある。
【０００７】
上記した従来の吊り下げ具や従来のジャケットの欠点を補うために本願出願人が考案したものが、特許文献３が示す点滴容器保持衣（以下、「従来の保持衣」という）である。従来の保持衣は、後身頃の外側に固定された縦細ポケットに差し入れられた吊り下げ支柱の上端から点滴容器を吊り下げされるように構成されている。従来の保持衣であれば、吊り下げ支柱の差し入れることで点滴スタンドに代わる点滴容器の運搬用具が実現するので、実用性が高くとても便利である。
【０００８】
【特許文献１】特開平１１−１３７６３９号公報
【特許文献２】特許３２６０１１５号公報
【特許文献３】実用新案登録３２２１６７４号公報
【考案の開示】
【考案が解決しようとする課題】
【０００９】
本考案は、上述した従来の保持衣の利点を損なうことなく、使い勝手をさらに向上させた支柱保持衣服と、そのような支柱保持衣服に使用可能な吊り下げ支柱の提供を目的とする。
【課題を解決するための手段】
【００１０】
上記目的を達成するため鋭意研究を行った考案者は、思考錯誤と工夫により次の構成を考え出した。詳しい構成については、次項以下で説明する。なお、いずれかの請求項記載の考案の構成を説明するにあたって行う用語の定義等は、性質上不可能な場合を除き、他の請求項記載の考案にも適用されるものとする。
【００１１】
（請求項１記載の考案の特徴）
請求項１記載の考案に係る吊り下げ支柱保持衣服（以下、「請求項１の保持衣」という）は、前身頃と後身頃とを少なくとも有する衣服本体と（必要なら、袖や襟などを有していてもよい。前開きタイプが一般であるが、これに限定されない）、 当該前身頃もしくは当該後身頃のうち少なくとも一方の外側の、正面視左右中央より右寄りもしくは左寄りの少なくとも一方（左右両方であってもよい）に固定された上端開放の縦細ポケット（吊り下げ支柱の途中が露出する中間省略のポケットでもよい）と、当該衣服本体の外側に設けられた横方向に長い少なくとも１本の押圧ベルトと、を備え、当該縦細ポケットは、上端部に点滴容器吊り下げ構造が設けられた吊り下げ支柱を少なくとも当該点滴容器吊り下げ構造が露出する状態で上端開口から差し入れて底部上に起立保持するように構成され、当該押圧ベルトは、当該縦細ポケットの中に差し入れられた吊り下げ支柱を、当該縦細ポケットの上から（吊り下げ支柱が露出していれば直接その上から）患者胴体に押圧することで当該吊り下げ支柱の支持を補助するように構成されている、ことを特徴とする。
【００１２】
（請求項２記載の考案の特徴）
請求項２記載の考案に係る支柱保持衣服（以下、「請求項２の保持衣服」という）は、請求項１の保持衣服であって、前記縦細ポケットの上端開口は前記前身頃の胸部に該当する位置に配されるとともに、前記前記縦細ポケットの底部は前記前身頃の腹部に該当する位置に配され、前記押圧ベルトは、第１の押圧ベルトと第２の押圧ベルトから少なくとも構成され、当該第１の押圧ベルトは前記衣服本体の腹部に配されるとともに、当該第２の押圧ベルトは当該第１の押圧ベルトと前記衣服本体の脇の下の間に配され、少なくとも当該第１の押圧ベルトと患者胴体の間に介在して前記吊り下げ支柱から受ける押圧力を緩衝する（すなわち、吊り下げ支柱を強く押圧するも患者に過度な負担をかけずにより安定した保持ができる）ための緩衝材（クッションともいう。たとえば、発泡材が該当する。衣服本体の外側もしくは内側に配される）を、さらに備える、ことを特徴とする。
【００１３】
（請求項３記載の考案の特徴）
請求項３記載の考案に係る支柱保持衣服（以下、「請求項３の保持衣服」という）は、請求項１または２の保持衣服であって、前記押圧ベルトのうち、少なくとも前記第２の押圧ベルトは、前記衣服本体に対して着脱自在かつ上下方向に位置替え可能（無制限の場合と既定範囲の場合の双方が含まれる）に設けられていることを特徴とする。
【００１４】
（請求項４記載の考案の特徴）
請求項４記載の考案に係る支柱保持衣服（以下、「請求項４の支柱保持衣服」という）は、請求項１ないし３いずれかの保持衣であって、前記点滴容器吊り下げ構造に吊り下げられた点滴容器の揺動を制限する揺動制限構造が設けられている、ことを特徴とする。
【考案の効果】
【００１５】
本考案に係る吊り下げ支柱保持衣服によれば、これを着用した患者は、そこに差し入れられた吊り下げ支柱から点滴容器を携えたまま気軽にベッドを離れて歩き回ることができる。点滴スタンドを引く必要はないし、大掛かりな仕組みも要しない。縦細ポケットから吊り下げ支柱を抜き取った後の衣服本体は、汎用の衣服と同じように折りたたむことができるので、かさばることもない。
【図面の簡単な説明】
【００１６】
【図１】本考案の点滴容器保持衣服の正面図である。
【図２】本考案の点滴容器保持衣服の背面図である。
【図３】本考案の点滴容器保持衣服の平面図である。
【図４】図１の点滴容器保持衣服に差し入れられた縦細ポケットの変形例を示す部分拡大図である。
【考案を実施するための形態】
【００１７】
図面を参照しながら本考案を実施するための形態（以下、「本実施形態」という）を説明する。本実施形態の吊り下げ支柱保持衣服（以下、「保持衣服」という）は、たとえば、ベスト、チョッキ、ジレの形態の衣服を中心部材として構成されている。ちなみに、ベスト、チョッキ、ジレは、互いに大きな違いはなく基本的に同じものを指し、これら三者はいずれも袖なしの短い胴着である。袖なしを推奨するのは、患者の腕などに刺さった点滴針とチューブを外さずに気軽に着用できるからである。ただ、チューブ通しの構造を持った袖ありのジャケットなどを採用することを妨げるものではない。衣服本体全体は、本考案の目的を達成できる強度を持った布や編み物などによって構成されている。布や編み物の素材は問わず、さまざまな単体もしくは組み合わせた素材で構成してよい。衣服本体は、ぬくもりを感じさせない無機質な医療用具として捉えられがちであるが、それだけでなく、カラフルな色彩、柄、飾りなどを設けて温かみとファッション性を備え、これらによって患者の精神衛生に役立つ衣服として構成することもできる。以下、ベストを事例に挙げ、その詳しい構成について説明する。
【００１８】
（衣服本体の構成）
図１ないし３に示す保持衣服１は、衣服本体３を主要な構成部材とする。衣服本体３は、その前部となる前身頃（まえみごろ）３ｂ（図１、３）、後部となる後身頃（うしろみごろ）３ｃ（図２、３）と、首回りとなる襟部３ａと、腕を出す左右のアームホール３ｅ，３ｅを有するベスト形態の衣服である。図示は省略するが、アームホール３ｅ，３ｅ下端中心を通る垂線に沿った部分のみ前身頃３ｂと後身頃３ｃとを分離させるとともに（肩部が繋がったポンチョ類似の状態）、この分離部分をファスナーやボタンなど（以下、「脇ファスナー」と総称する）で開放可能に連結しておくとよい。首を襟部３ａから出し入れするだけなので保持衣服１自体の着脱が楽になるためと、点滴チューブとともに腕通しせずに済むので患者や付添者などの負担を軽くするためである。
【００１９】
保持衣服１の生地は、たとえばポリエステル１００％、ポリエステルと面の交織・混紡などの合成繊維を好適に用いることができる。図１に示すように衣服本体３の前身頃３ｂの外側（図１の手前側）には、縦に細長い縦細ポケット５が縫い付け固定されている（次項で詳述する）。前身頃３ｂは、衣服本体３の他の部位（たとえば、後身頃３ｃ）に比べ固い（厚い）生地により構成したり、固くなるように加工したりするなどして補強することが好ましい。補強するのは、後述する吊り下げ支柱７から受ける倒れ方向の力に打ち勝って保持をより確実にするためである。なお、固い生地には、生地そのものを固い素材で構成したもの、同じ生地もしくは違う生地を二重三重に重ね縫いしたものなどがある。固くする加工には、たとえば、合成樹脂などを一部または全部に塗布したり、合成樹脂板などで裏打ちしたりする手法などが考えられる。
【００２０】
（縦細ポケットの固定位置と形状）
図１ないし３に示すように本実施形態の縦細ポケット５は、正面視した（正面から見た）前身頃３ｂの左右中央から左右それぞれに寄った位置にそれぞれ一つずつ縫い付け固定された一片の生地で構成されている。縦細ポケット５，５は、いずれも後述する吊り下げ支柱７を差し込み保持するための保持構造であるので、そのために十分な強度を持たせる必要がある。縦細ポケット５，５を左右それぞれに設けた主な理由は、注射液を投与する腕など部位の左右に合わせて使用するものを選択できるように、また左右において別々の点滴袋を同時に吊り下げられるようにするためである。もっとも、左右いずれか一方だけで足りるのであれば、縦細ポケット５の固定をいずれかの片方のみにすることを妨げる趣旨ではない。さらに、３個以上の縦細ポケットを設けることは、本考案の趣旨を逸脱することにならない。縦細ポケット５，５の形状などの詳細は、次項以下で説明する。
【００２１】
引き続き図１ないし３を参照する。左右の縦細ポケット５，５は、格段の理由があるなら
互いに異なる形状・寸法に構成することもできるが、見栄えやバランスなどを考慮した結果、本実施形態では相互に同一形状に構成されている。このためここでは、図１に示した正面視右側の縦細ポケット５のみについて行い、他方の縦細ポケット５の説明は省略する。
【００２２】
縦細ポケット５は、細く縦に長い上端５ａと底部５ｂを含む長方形の生地（衣服本体３の生地と同じ生地を用いたが、違う生地でもよい）を上端５ａのみ開放となるように横向きコの字状に縫い付け固定したものである。素材や構造などによって異なる寸法もあり得るが本実施形態における好ましい寸法は、たとえば幅３．５０〜４．５０センチメートル、高さ４４．０〜４７．５センチメートルである。縦細ポケット５の上端（上端開口）５ａは前身頃３ｂの胸部（図１に符号Ｃで示す領域）に該当する位置のいずれかに配されるとともに、同じく底部５ｂは同腹部（図１に符号Ｂで示す領域）に該当する位置に配されている。このように配することにより、縦細ポケット５と、そこに差し入れられる吊り下げ支柱７との接触距離を長く（接触面積を広く）することができるので、吊り下げ支柱７の横揺れが許容範囲内に制限され、この結果、保持が確実になるからである。なお、本実施形態では縫い付け固定を採用したが、接着剤、粘着テープ、熱融着など、強度が十分に保たれる限り、どのような固定方法でもよい。面ファスナーにより縦細ポケット５と衣服本体３との相対位置を調整可能としたうえで付けたり外したりできるようにしてもよい。
【００２３】
図４に示す縦細ポケット６は、これまで説明した縦細ポケット５の変形例である。図１からも明らかなように縦細ポケッ５は、上端５ａから底部５ｂに至るまで一片の生地で構成されている。これに対し縦細ポケット６は、縦方向に並ぶ複数の生地片で構成されている。すなわち、上生地片６ｕと下生地片６ｓの２片（３片以上でもよい）によって構成され、これによって上と下で支持され中間が省略されている。図４では省略部分を誇張して描いてあるが、強度保持が確保できるならこのような中間省略も可能である。中間省略の部位を設けた主な理由は、吊り下げ支柱７の差し入れ状態を目視できるようにするためである。このことから、図示は省略するが、たとえば上生地片６ｕを金属製の環状部材などに置き換える（つまり、たとえば、上生地片６ｕを金属リングで構成できる）ことが理解されよう。
【００２４】
（支柱の構成）
図１ないし４に示す支柱７は、縦細ポケット５（縦細ポケット６）への上端５ａからの差し入れと抜き取りがスムーズに行えるように僅かな遊びができる程度の径寸法（たとえば、１．７０センチメートル前後）と、差し入れ後に吊り下げ支柱７の上端に設けられた点滴容器吊り下げ構造９（後述）が縦細ポケット５から露出するだけの長さ寸法（たとえば、７８．０〜９３．０センチメートル前後）が必要である。こうして差し入れられた吊り下げ支柱７は、その下端が底部５ｂにより下支えされ、その周りが縦細ポケット５の生地に囲まれることで、その全体がしっかりと前身頃３ｂ（衣服本体３）に起立保持される。吊り下げ支柱７の素材は、保持衣服１に保持されて点滴容器２１を吊り下げるのに十分な強度（素材強度と縫製強度）と、患者が耐えうる重さと経済的価格を備えている必要がある。一般的には、アルミニウムのような軽量金属、カーボン素材、木材、合成樹脂材などが使用可能である。構造的には、たとえば、一本の棒材のみによって構成したり、折り畳み杖のように複数の棒材を一本化したり、アンテナのように伸縮自在にしたり、することもよい。
【００２５】
（点滴容器吊り下げ構造の構成）
支柱７の上端には、フック（点滴容器吊り下げ構造）９が設けられている（図１、３）。フック９は、点滴容器２１上部にある吊り下げ孔２１ａに通して点滴容器３１を吊り下げるためのものである。点滴容器吊り下げ構造９の構成は上述のフック限られないことはいうまでもなく、さまざまな構成を採用することができる。フックの代わりに、たとえば開閉自在という作用を有するカードリング・カラビナ・カニカン、さらに縛り紐などを用いることもよい（いずれも図示を省略）。なお、点滴容器２１の吊り下げは、上記のようにフック９またはその代替物に直接吊り下げる方法のほか、点滴容器２１を透明または半透明の樹脂カバー（図示を省略）に点滴容器２１を入れてから間接的に吊り下げる方法もある。
【００２６】
（揺動制限構造の構成）
任意ではあるが点滴容器２１が患者の歩行に伴い横揺れすることを防ぐための揺動制限構造を設けることが好ましい。患者が歩行したり振り向いたりしたときに慣性や遠心力によって、さらに点滴容器２１や吊り下げ支柱に何かが触れることによって、揺れ動いた点滴容器２１と患者やそれ以外の人や物に衝突することを防ぐためである。たとえば、点滴容器２１を囲み吊り下げ支柱７に固定された揺れ止めリング１１が揺動制限構造の一つである。図示は省略するが、伸縮するゴム紐、着脱自在のベルトなども揺動制限構造として採用可能である。なお、点滴容器３１の大きさや形は、点滴液の量などに応じて図示のものと異なることは言うまでもない。図１および２に示す符号２３は、点滴容器２１の下端につながれた送液用のチューブを示し、このチューブ２３の先端に点滴針（図示を省略）が取り付けられる。
【００２７】
（押圧ベルトの構成）
図１および２に示すように、縦細ポケット５の中に差し入れられた吊り下げ支柱７を、縦細ポケット５（もしくは、吊り下げポケット６から露出した吊り下げ支柱７、図４）の上から患者胴体に押圧するための押圧ベルト３１が衣服本体３の外側に設けられている。押圧ベルト３１は、患者の胴体を水平に取り巻き、正面から見ると横に長くなっている。押圧により吊り下げ支柱７の支持を補助するためである。この支持補助により、衣服本体３に対する吊り下げ支柱７、ひいては、点滴容器２１の保持をより確実にできるからである。また吊り下げ支柱７が横揺れすると縦細ポケット５の特に上端５ａに大きな力が加わるが、上記の支持補助によりこれが緩和され縦細ポケット５が破れたりする恐れがより少なくす付随的効果もある。
【００２８】
押圧ベルト３１は、少なくとも１本あれば足りるが、次に述べるように２本（３本以上でもよい）とすることが好ましい。保持をより確実にするためである。具体的には、前記押圧ベルト３１（以下、「第１の押圧ベルト３１」と言い換える）と、第１の押圧ベルト３１と同じ形態の第２の押圧ベルト３３から構成されている。両ベルトは、いずれも合成繊維などのベルトに適した素材から構成され、所定の幅と長さを有している。第１の押圧ベルト３１はバックル３１ａにより、第２の押圧ベルト３３はバックル３３ａにより、前身頃３ｂの上でそれぞれ両端が着脱され、また、患者Ｐの体形や押圧程度に合わせて長さ調整できるように構成されている。
【００２９】
第１の押圧ベルト３１は前記した衣服本体１の腹部Ｂ（図１）の外側に配されるとともに、第２の押圧ベルト３３は第１の押圧ベルト３１と衣服本体３の外側の脇の下（アームホール３ｅ，３ｅの下）の間に配されている。それぞれの位置が、吊り下げ支柱７を支持するために好適と考えられるからである。第１の押圧ベルト３１は、前身頃３ｂの上で２個のベルト通し４ａ，４ａを通り（図１）、後身頃３ｂの上で４個のベルト通し４ｃ，４ｃ．．を通る（図２）ことで差し入れ抜き取り可能に保持されている。ベルト通しの数は適宜増減可能であり、取付位置や寸法比なども図示のものと異なっていても構わない（第２の押圧ベルト３３のベルト通しも同じ）。
【００３０】
一方、第２の押圧ベルト３３は、前身頃３ｂの外側の２個のベルト通し群４ｂ，４ｂ（図１）を通り、後身頃３ｃの外側の４個のベルト通し群４ｄ，４ｄ．．および同じく外側のベルト通し群４ｅ，４ｅを通ることで差し入れ抜き取り可能に保持されている。第２の押圧ベルト３３の特徴は、衣服本体３に対して上下に位置調整できるようになっていることである。すなわち、ベルト通し群４ｂとベルト通し群４ｄは、縦方向に複数（ここでは、いずれも３個。２個でも４個以上でもよい。）が並べられていて、いずれか一つを選択使用できるようになっている。図１および２に示すのは、一番下のベルト通し４ｂ，４ｅが選択された状態である。このように第２の押圧ベルト３３を高さ方向に位置調整できるようにしたのは、患者の体格に合わせて適切な押圧支持を可能とするためである。特に女性が使用する場合、胸の大きさや形状に合わせた位置調整ができるので、使い勝手がとてもよくなる。なお、ベルト通し群４ｅは、患者の体形により適合させるため用意したものであって、ベルト通し群４ｄの代わりに使用することができる。
【００３１】
（緩衝材の構成）
図１に示す符号３５は、第１の押圧ベルト３１と患者Ｐの胴体の間に介在して吊り下げ支柱７から受ける押圧力を緩衝するための緩衝材（クッション）である。緩衝材３５は、板状であって前身頃３ｂの裏側に設けられた収納ポケット（図示を省略）の中に収納されている。緩衝材３５には、厚手の布材などを使用可能であるが、発泡材のような軽くて緩衝効果の高い素材の使用が好ましい。緩衝材３５を設けることにより、第１の押圧ベルト３１を少しきつめにしても患者Ｐに痛いと思わせないで済む。これによって、押圧力を高め、吊り下げ支柱７の衣服本体７、ひいては患者Ｐに対する保持を効果的なものにすることができる。
【００３２】
なお、これまでの記述は、吊り下げ支柱７を前身頃３ｂの上に保持するものであった。これは、前身頃３ｂの上に保持するほうが点滴容器２１の様子を患者Ｐが観察しやすいと考えたからである。一方、患者Ｐの肉体的理由その他の何らかの理由により、前身頃３ｂの代わりに後身頃３ｃ上に、もしくは選択的使用を可能とするため前身頃３ｂと併せて後身頃３ｃ上に保持するほうが使い勝手がよい場合もあり得よう。したがって、後身頃３ｃ上に（もしくは、にも併せて）吊り下げ支柱７を保持可能とする場合は、上述した前身頃３ｂ上の部材、たとえば、縦細ポケット５などは前後逆にすればよい。
【００３３】
（保持衣服の着脱用手順）
図１ないし３を参照しながら着脱手順を説明する。まず着用手順から説明するがこれは一例であって、異なる手順の採用を妨げないことを付記しておく。点滴されている状態の患者Ｐがベッドを離れようとするとき、まず保持衣服１を着用してファスナー３ｄを閉める。着用する際に点滴針（図示を省略）とチューブ３３を外すことなく衣服本体３のアームホール３ｅに腕を通すことができる。脇ファスナー（図示を省略）も有する場合はこれを使用すれば、腕通しがより楽になる。こうした着衣のときバックル３１ａ，３３ａは開放状態のまま、すなわち押圧ベルト３１，３３の両端は開放されている。次に吊り下げ支柱７の下端を縦細ポケット５の上端開口５ａに差し入れる（図１の２点鎖線で示す吊り下げ支柱７は差し入れ前の状態）。次に、ベッド脇にある点滴スタンド（図示を省略）から点滴容器２１を外し、これを吊り下げ支柱７のフック９を吊り下げ孔３１ａを差し込んで点滴容器３１を吊り下げる（図１から３に示す状態。吊り下げてから差し入れる場合もある）。
【００３４】
吊り下げ支柱７が縦細ポケット５によってしっかりと保持されたことを確認できたら、バックル３１ａ，３１ｂを操作して第１の押圧ベルト３１と第２の押圧ベルト３３それぞれを縦細ポケット５の上から吊り下げ支柱７を押圧する。必要に応じてベルトの長さ調整を行うことで押圧度合いを調整する。併せて第２の押圧ベルト３３の高さ位置をベルト通しの変更により調整する。こうして点滴容器３１を吊り下げた状態の衣服本体３の着用を完了する。一方、ベッドに戻って脱衣するときは、まず、点滴容器を点滴スタンドに吊り下げ、その後は、上記の逆の手順で衣服本体３を脱げばよい。脇ファスナーも有する場合はこれを使用すると脱衣が楽になる。
【００３５】
以上示したように保持衣服１を着衣した患者Ｐは、両手を自由に使える状態でトイレや面会などに行くことができ、行動範囲を大きく広げることができる。車いすに乗った患者なども、同様にして点滴スタンドの束縛から逃れることができる。上記した保持衣服１の機能性は、患者の行動範囲をきわだって広げることができる。すなわち、病院などの室内に限らず、車、電車、さらに病状が許せば船舶や飛行機などを利用した外出を可能とする。さらに、被災地や船上、戦地など、スタンドが使えない状況での必要性が出た際にも利用できる。さらに、脱いだ衣服本体３は、これをたためば、かさばらずに収納できる点において、点滴スタンドに比べはるかに使いがってがよい。
【符号の説明】
【００３６】
１      点滴容器保持衣（ベスト）
３      衣服本体
３ａ    襟部
３ｂ    正面部（前身頃）
３ｃ    背中部（後見頃）
３ｄ    ファスナー
３ｅ    アームホール
５      縦細ポケット
５ａ  上端
５ｂ  底部
６  縦細ポケット（変形例）
７      吊り下げ支柱
９      フック（点滴容器吊り下げ構造）
２１      点滴容器
２３  チューブ
３１      第１の押圧ベルト
３１ａ  バックル
３３ａ  バックル
３３      第２の押圧ベルト
３５  緩衝部材
Ｐ      患者
【図１】
0003230543.tif 000003
【図２】
0003230543.tif 000004
【図３】
0003230543.tif 000005
【図４】
0003230543.tif 000006
【手続補正書】
【提出日】令和2年11月20日(2020.11.20)
【手続補正１】
【補正対象書類名】実用新案登録請求の範囲
【補正対象項目名】全文
【補正方法】変更
【補正の内容】
【実用新案登録請求の範囲】
【請求項１】
前身頃と後身頃とを少なくとも有する衣服本体と、
当該前身頃もしくは当該後身頃のうち少なくとも一方の外側の、正面視左右中央より右寄りもしくは左寄りの少なくとも一方に固定された上端開放の縦細ポケットと、
当該衣服本体の外側に設けられた横方向に長い少なくとも１本の押圧ベルトと、を備え、
当該縦細ポケットは、上端部に点滴容器吊り下げ構造が設けられた吊り下げ支柱を少なくとも当該点滴容器吊り下げ構造が露出する状態で上端開口から差し入れて底部上に起立保持するように構成され、
当該押圧ベルトは、当該縦細ポケットの中に差し入れられた吊り下げ支柱を、当該縦細ポケットの上から患者胴体に押圧することで当該吊り下げ支柱の支持を補助するように構成されている、
ことを特徴とする吊り下げ支柱保持衣服。
【請求項２】
前記縦細ポケットの上端開口は前記前身頃の胸部に該当する位置に配される
とともに、
前記縦細ポケットの底部は前記前身頃の腹部に該当する位置に配され、
前記押圧ベルトは、第１の押圧ベルトと第２の押圧ベルトから少なくとも構成され、
当該第１の押圧ベルトは前記衣服本体の腹部に配されるとともに、当該第２の押圧ベルトは当該第１の押圧ベルトと前記衣服本体の脇の下の間に配され、
少なくとも当該第１の押圧ベルトと患者胴体の間に介在して前記吊り下げ支柱から受ける押圧力を緩衝するための緩衝材を、さらに備える、
ことを特徴とする請求項１記載の吊り下げ支柱保持衣服。
【請求項３】
前記押圧ベルトのうち、少なくとも前記第２の押圧ベルトは、前記衣服本体に対して着脱自在かつ上下方向に位置替え可能に設けられている
ことを特徴とする請求項２記載の吊り下げ支柱保持衣服。
【請求項４】
前記点滴容器吊り下げ構造に吊り下げられた点滴容器の揺動を制限する揺動制限構造が設けられている、
ことを特徴とする請求項１ないし３いずれか記載の吊り下げ支柱保持衣服の前記縦細ポケットに差し入れ可能な吊り下げ支柱。
【手続補正２】
【補正対象書類名】明細書
【補正対象項目名】全文
【補正方法】変更
【補正の内容】
【考案の詳細な説明】
【技術分野】
【０００１】
本考案は、床面上を走行させる点滴スタンドの代わりとなる、そして点滴容器を吊り下げた吊り下げ支柱を保持する吊り下げ支柱保持衣服に関するものである。
【背景技術】
【０００２】
従来から、点滴が必要な患者がベッドから離れるとき、患者は点滴容器が吊り下げられたキャスター付き点滴スタンドを引きながら歩かなければならない。このキャスター付きスタンドは今日においても様々な医療機関で用いられている。どうして点滴スタンドが必要なのかというと、重力によって点滴液を投与することから点滴容器（の液面）を患者の心臓より高い位置に保つ必要があるからである。このため点滴スタンドは人の身長ほどの高さがある。このように大きくてかさばる点滴スタンドをトイレや売店などに行くときでさえも伴わせなければならないということは、いくら必要なものとはいえ患者にとって負担が大きい。
【０００３】
そこで、考案されたのが、特許文献１に示される点滴用具吊り下げ具（以下、「従来の吊り下げ具」という）である。従来の吊り下げ具は、登山用リュックのように胴ベルトと一対の肩ベルトを備えていて、さらに点滴液をつりさげるフックが上の先についた支柱が設けられている。支柱は、その下の先を胴ベルトに固定して起立させるようになっていて、フックに吊り下げた点滴容器が患者の頭から上に飛び出るほどの長さに作られている。支柱の途中は両方の肩ベルトによって支えられている。特許文献１は、様々な形態の支柱が示されていて、その一つが図８に示すように、かさばりを避けるために折り畳み式になっている。
【０００４】
一方、特許文献２では、点滴容器をしまうポケットのついたジャケット（以下、「従来のジャケット」という）が提案されている。ポケットはジャケットを着る患者の心臓とほぼ同じ高さについている。先に述べたように点滴容器は心臓より高いところに保たれなければいけないが、これを満たしていない。そこで、従来のジャケットは、点滴容器に点滴を垂れさせるための圧力源としてバッテリーで動く電動空気ポンプを備えている。
【０００５】
しかしながら、従来の吊り下げ具を使用する患者は、ベッドを離れようとするとき山登りのリュックのようして吊り下げ具を背負い、胴ベルトと両肩ベルトを締める必要がある。ベッドに戻ったときはその逆で、胴ベルトと両肩ベルトを緩め吊り下げ具を身体から降ろさなければならない。これでは、点滴スタンドを伴わせる以上の負担と感じる患者も少なくない。このような形態の吊り下げ具であるから、かさばるし他に用途がないから、使用しないときの置き場所に困るという不便がある。従来の吊り下げ具には、このように使用と保管に大きな問題点を抱えている。
【０００６】
他方、従来のジャケットは、支柱やそれを支持するための胴ベルト等を有しないため従来の吊り下げ具に比べコンパクトになっているが、空気ポンプとバッテリーが必ず必要なため全体として大掛かりなものになってしまうことや、そもそもバッテリー切れになったら使えないという問題点がある。
【０００７】
上記した従来の吊り下げ具や従来のジャケットの欠点を補うために本願出願人が考案したものが、特許文献３が示す点滴容器保持衣（以下、「従来の保持衣」という）である。従来の保持衣は、後身頃の外側に固定された縦細ポケットに差し入れられた吊り下げ支柱の上端から点滴容器を吊り下げされるように構成されている。従来の保持衣であれば、吊り下げ支柱の差し入れることで点滴スタンドに代わる点滴容器の運搬用具が実現するので、実用性が高くとても便利である。
【０００８】
【特許文献１】特開平１１−１３７６３９号公報
【特許文献２】特許３２６０１１５号公報
【特許文献３】実用新案登録３２２１６７４号公報
【考案の開示】
【考案が解決しようとする課題】
【０００９】
本考案は、上述した従来の保持衣の利点を損なうことなく、使い勝手をさらに向上させた支柱保持衣服と、そのような支柱保持衣服に使用可能な吊り下げ支柱の提供を目的とする。
【課題を解決するための手段】
【００１０】
上記目的を達成するため鋭意研究を行った考案者は、思考錯誤と工夫により次の構成を考え出した。詳しい構成については、次項以下で説明する。なお、いずれかの請求項記載の考案の構成を説明するにあたって行う用語の定義等は、性質上不可能な場合を除き、他の請求項記載の考案にも適用されるものとする。
【００１１】
（請求項１記載の考案の特徴）
請求項１記載の考案に係る吊り下げ支柱保持衣服（以下、「請求項１の保持衣」という）は、前身頃と後身頃とを少なくとも有する衣服本体と（必要なら、袖や襟などを有していてもよい。前開きタイプが一般であるが、これに限定されない）、 当該前身頃もしくは当該後身頃のうち少なくとも一方の外側の、正面視左右中央より右寄りもしくは左寄りの少なくとも一方（左右両方であってもよい）に固定された上端開放の縦細ポケット（吊り下げ支柱の途中が露出する中間省略のポケットでもよい）と、当該衣服本体の外側に設けられた横方向に長い少なくとも１本の押圧ベルトと、を備え、当該縦細ポケットは、上端部に点滴容器吊り下げ構造が設けられた吊り下げ支柱を少なくとも当該点滴容器吊り下げ構造が露出する状態で上端開口から差し入れて底部上に起立保持するように構成され、当該押圧ベルトは、当該縦細ポケットの中に差し入れられた吊り下げ支柱を、当該縦細ポケットの上から（吊り下げ支柱が露出していれば直接その上から）患者胴体に押圧することで当該吊り下げ支柱の支持を補助するように構成されている、ことを特徴とする。
【００１２】
（請求項２記載の考案の特徴）
請求項２記載の考案に係る支柱保持衣服（以下、「請求項２の保持衣服」という）は、請求項１の保持衣服であって、前記縦細ポケットの上端開口は前記前身頃の胸部に該当する位置に配されるとともに、前記前記縦細ポケットの底部は前記前身頃の腹部に該当する位置に配され、前記押圧ベルトは、第１の押圧ベルトと第２の押圧ベルトから少なくとも構成され、当該第１の押圧ベルトは前記衣服本体の腹部に配されるとともに、当該第２の押圧ベルトは当該第１の押圧ベルトと前記衣服本体の脇の下の間に配され、少なくとも当該第１の押圧ベルトと患者胴体の間に介在して前記吊り下げ支柱から受ける押圧力を緩衝する（すなわち、吊り下げ支柱を強く押圧するも患者に過度な負担をかけずにより安定した保持ができる）ための緩衝材（クッションともいう。たとえば、発泡材が該当する。衣服本体の外側もしくは内側に配される）を、さらに備える、ことを特徴とする。
【００１３】
（請求項３記載の考案の特徴）
請求項３記載の考案に係る支柱保持衣服（以下、「請求項３の保持衣服」という）は、請求項２の保持衣服であって、前記押圧ベルトのうち、少なくとも前記第２の押圧ベルトは、前記衣服本体に対して着脱自在かつ上下方向に位置替え可能（無制限の場合と既定範囲の場合の双方が含まれる）に設けられていることを特徴とする。
【００１４】
（請求項４記載の考案の特徴）
請求項４記載の考案に係る支柱保持衣服（以下、「請求項４の支柱保持衣服」という）は、請求項１ないし３いずれかの保持衣であって、前記点滴容器吊り下げ構造に吊り下げられた点滴容器の揺動を制限する揺動制限構造が設けられている、ことを特徴とする。
【考案の効果】
【００１５】
本考案に係る吊り下げ支柱保持衣服によれば、これを着用した患者は、そこに差し入れられた吊り下げ支柱から点滴容器を携えたまま気軽にベッドを離れて歩き回ることができる。点滴スタンドを引く必要はないし、大掛かりな仕組みも要しない。縦細ポケットから吊り下げ支柱を抜き取った後の衣服本体は、汎用の衣服と同じように折りたたむことができるので、かさばることもない。
【図面の簡単な説明】
【００１６】
【図１】本考案の点滴容器保持衣服の正面図である。
【図２】本考案の点滴容器保持衣服の背面図である。
【図３】本考案の点滴容器保持衣服の平面図である。
【図４】図１の点滴容器保持衣服に差し入れられた縦細ポケットの変形例を示す部分拡大図である。
【考案を実施するための形態】
【００１７】
図面を参照しながら本考案を実施するための形態（以下、「本実施形態」という）を説明する。本実施形態の吊り下げ支柱保持衣服（以下、「保持衣服」という）は、たとえば、ベスト、チョッキ、ジレの形態の衣服を中心部材として構成されている。ちなみに、ベスト、チョッキ、ジレは、互いに大きな違いはなく基本的に同じものを指し、これら三者はいずれも袖なしの短い胴着である。袖なしを推奨するのは、患者の腕などに刺さった点滴針とチューブを外さずに気軽に着用できるからである。ただ、チューブ通しの構造を持った袖ありのジャケットなどを採用することを妨げるものではない。衣服本体全体は、本考案の目的を達成できる強度を持った布や編み物などによって構成されている。布や編み物の素材は問わず、さまざまな単体もしくは組み合わせた素材で構成してよい。衣服本体は、ぬくもりを感じさせない無機質な医療用具として捉えられがちであるが、それだけでなく、カラフルな色彩、柄、飾りなどを設けて温かみとファッション性を備え、これらによって患者の精神衛生に役立つ衣服として構成することもできる。以下、ベストを事例に挙げ、その詳しい構成について説明する。
【００１８】
（衣服本体の構成）
図１ないし３に示す保持衣服１は、衣服本体３を主要な構成部材とする。衣服本体３は、その前部となる前身頃（まえみごろ）３ｂ（図１、３）、後部となる後身頃（うしろみごろ）３ｃ（図２、３）と、首回りとなる襟部３ａと、腕を出す左右のアームホール３ｅ，３ｅを有するベスト形態の衣服である。図示は省略するが、アームホール３ｅ，３ｅ下端中心を通る垂線に沿った部分のみ前身頃３ｂと後身頃３ｃとを分離させるとともに（肩部が繋がったポンチョ類似の状態）、この分離部分をファスナーやボタンなど（以下、「脇ファスナー」と総称する）で開放可能に連結しておくとよい。首を襟部３ａから出し入れするだけなので保持衣服１自体の着脱が楽になるためと、点滴チューブとともに腕通しせずに済むので患者や付添者などの負担を軽くするためである。
【００１９】
保持衣服１の生地は、たとえばポリエステル１００％、ポリエステルと面の交織・混紡などの合成繊維を好適に用いることができる。図１に示すように衣服本体３の前身頃３ｂの外側（図１の手前側）には、縦に細長い縦細ポケット５が縫い付け固定されている（次項で詳述する）。前身頃３ｂは、衣服本体３の他の部位（たとえば、後身頃３ｃ）に比べ固い（厚い）生地により構成したり、固くなるように加工したりするなどして補強することが好ましい。補強するのは、後述する吊り下げ支柱７から受ける倒れ方向の力に打ち勝って保持をより確実にするためである。なお、固い生地には、生地そのものを固い素材で構成したもの、同じ生地もしくは違う生地を二重三重に重ね縫いしたものなどがある。固くする加工には、たとえば、合成樹脂などを一部または全部に塗布したり、合成樹脂板などで裏打ちしたりする手法などが考えられる。
【００２０】
（縦細ポケットの固定位置と形状）
図１ないし３に示すように本実施形態の縦細ポケット５は、正面視した（正面から見た）前身頃３ｂの左右中央から左右それぞれに寄った位置にそれぞれ一つずつ縫い付け固定された一片の生地で構成されている。縦細ポケット５，５は、いずれも後述する吊り下げ支柱７を差し込み保持するための保持構造であるので、そのために十分な強度を持たせる必要がある。縦細ポケット５，５を左右それぞれに設けた主な理由は、注射液を投与する腕など部位の左右に合わせて使用するものを選択できるように、また左右において別々の点滴袋を同時に吊り下げられるようにするためである。もっとも、左右いずれか一方だけで足りるのであれば、縦細ポケット５の固定をいずれかの片方のみにすることを妨げる趣旨ではない。さらに、３個以上の縦細ポケットを設けることは、本考案の趣旨を逸脱することにならない。縦細ポケット５，５の形状などの詳細は、次項以下で説明する。
【００２１】
引き続き図１ないし３を参照する。左右の縦細ポケット５，５は、格段の理由があるなら
互いに異なる形状・寸法に構成することもできるが、見栄えやバランスなどを考慮した結果、本実施形態では相互に同一形状に構成されている。このためここでは、図１に示した正面視右側の縦細ポケット５のみについて行い、他方の縦細ポケット５の説明は省略する。
【００２２】
縦細ポケット５は、細く縦に長い上端５ａと底部５ｂを含む長方形の生地（衣服本体３の生地と同じ生地を用いたが、違う生地でもよい）を上端５ａのみ開放となるように横向きコの字状に縫い付け固定したものである。素材や構造などによって異なる寸法もあり得るが本実施形態における好ましい寸法は、たとえば幅３．５０〜４．５０センチメートル、高さ４４．０〜４７．５センチメートルである。縦細ポケット５の上端（上端開口）５ａは前身頃３ｂの胸部（図１に符号Ｃで示す領域）に該当する位置のいずれかに配されるとともに、同じく底部５ｂは同腹部（図１に符号Ｂで示す領域）に該当する位置に配されている。このように配することにより、縦細ポケット５と、そこに差し入れられる吊り下げ支柱７との接触距離を長く（接触面積を広く）することができるので、吊り下げ支柱７の横揺れが許容範囲内に制限され、この結果、保持が確実になるからである。なお、本実施形態では縫い付け固定を採用したが、接着剤、粘着テープ、熱融着など、強度が十分に保たれる限り、どのような固定方法でもよい。面ファスナーにより縦細ポケット５と衣服本体３との相対位置を調整可能としたうえで付けたり外したりできるようにしてもよい。
【００２３】
図４に示す縦細ポケット６は、これまで説明した縦細ポケット５の変形例である。図１からも明らかなように縦細ポケッ５は、上端５ａから底部５ｂに至るまで一片の生地で構成されている。これに対し縦細ポケット６は、縦方向に並ぶ複数の生地片で構成されている。すなわち、上生地片６ｕと下生地片６ｓの２片（３片以上でもよい）によって構成され、これによって上と下で支持され中間が省略されている。図４では省略部分を誇張して描いてあるが、強度保持が確保できるならこのような中間省略も可能である。中間省略の部位を設けた主な理由は、吊り下げ支柱７の差し入れ状態を目視できるようにするためである。このことから、図示は省略するが、たとえば上生地片６ｕを金属製の環状部材などに置き換える（つまり、たとえば、上生地片６ｕを金属リングで構成できる）ことが理解されよう。
【００２４】
（支柱の構成）
図１ないし４に示す支柱７は、縦細ポケット５（縦細ポケット６）への上端５ａからの差し入れと抜き取りがスムーズに行えるように僅かな遊びができる程度の径寸法（たとえば、１．７０センチメートル前後）と、差し入れ後に吊り下げ支柱７の上端に設けられた点滴容器吊り下げ構造９（後述）が縦細ポケット５から露出するだけの長さ寸法（たとえば、７８．０〜９３．０センチメートル前後）が必要である。こうして差し入れられた吊り下げ支柱７は、その下端が底部５ｂにより下支えされ、その周りが縦細ポケット５の生地に囲まれることで、その全体がしっかりと前身頃３ｂ（衣服本体３）に起立保持される。吊り下げ支柱７の素材は、保持衣服１に保持されて点滴容器２１を吊り下げるのに十分な強度（素材強度と縫製強度）と、患者が耐えうる重さと経済的価格を備えている必要がある。一般的には、アルミニウムのような軽量金属、カーボン素材、木材、合成樹脂材などが使用可能である。構造的には、たとえば、一本の棒材のみによって構成したり、折り畳み杖のように複数の棒材を一本化したり、アンテナのように伸縮自在にしたり、することもよい。
【００２５】
（点滴容器吊り下げ構造の構成）
支柱７の上端には、フック（点滴容器吊り下げ構造）９が設けられている（図１、３）。フック９は、点滴容器２１上部にある吊り下げ孔２１ａに通して点滴容器３１を吊り下げるためのものである。点滴容器吊り下げ構造９の構成は上述のフック限られないことはいうまでもなく、さまざまな構成を採用することができる。フックの代わりに、たとえば開閉自在という作用を有するカードリング・カラビナ・カニカン、さらに縛り紐などを用いることもよい（いずれも図示を省略）。なお、点滴容器２１の吊り下げは、上記のようにフック９またはその代替物に直接吊り下げる方法のほか、点滴容器２１を透明または半透明の樹脂カバー（図示を省略）に点滴容器２１を入れてから間接的に吊り下げる方法もある。
【００２６】
（揺動制限構造の構成）
任意ではあるが点滴容器２１が患者の歩行に伴い横揺れすることを防ぐための揺動制限構造を設けることが好ましい。患者が歩行したり振り向いたりしたときに慣性や遠心力によって、さらに点滴容器２１や吊り下げ支柱に何かが触れることによって、揺れ動いた点滴容器２１と患者やそれ以外の人や物に衝突することを防ぐためである。たとえば、点滴容器２１を囲み吊り下げ支柱７に固定された揺れ止めリング１１が揺動制限構造の一つである。図示は省略するが、伸縮するゴム紐、着脱自在のベルトなども揺動制限構造として採用可能である。なお、点滴容器３１の大きさや形は、点滴液の量などに応じて図示のものと異なることは言うまでもない。図１および２に示す符号２３は、点滴容器２１の下端につながれた送液用のチューブを示し、このチューブ２３の先端に点滴針（図示を省略）が取り付けられる。
【００２７】
（押圧ベルトの構成）
図１および２に示すように、縦細ポケット５の中に差し入れられた吊り下げ支柱７を、縦細ポケット５（もしくは、吊り下げポケット６から露出した吊り下げ支柱７、図４）の上から患者胴体に押圧するための押圧ベルト３１が衣服本体３の外側に設けられている。押圧ベルト３１は、患者の胴体を水平に取り巻き、正面から見ると横に長くなっている。押圧により吊り下げ支柱７の支持を補助するためである。この支持補助により、衣服本体３に対する吊り下げ支柱７、ひいては、点滴容器２１の保持をより確実にできるからである。また吊り下げ支柱７が横揺れすると縦細ポケット５の特に上端５ａに大きな力が加わるが、上記の支持補助によりこれが緩和され縦細ポケット５が破れたりする恐れがより少なくす付随的効果もある。
【００２８】
押圧ベルト３１は、少なくとも１本あれば足りるが、次に述べるように２本（３本以上でもよい）とすることが好ましい。保持をより確実にするためである。具体的には、前記押圧ベルト３１（以下、「第１の押圧ベルト３１」と言い換える）と、第１の押圧ベルト３１と同じ形態の第２の押圧ベルト３３から構成されている。両ベルトは、いずれも合成繊維などのベルトに適した素材から構成され、所定の幅と長さを有している。第１の押圧ベルト３１はバックル３１ａにより、第２の押圧ベルト３３はバックル３３ａにより、前身頃３ｂの上でそれぞれ両端が着脱され、また、患者Ｐの体形や押圧程度に合わせて長さ調整できるように構成されている。
【００２９】
第１の押圧ベルト３１は前記した衣服本体１の腹部Ｂ（図１）の外側に配されるとともに、第２の押圧ベルト３３は第１の押圧ベルト３１と衣服本体３の外側の脇の下（アームホール３ｅ，３ｅの下）の間に配されている。それぞれの位置が、吊り下げ支柱７を支持するために好適と考えられるからである。第１の押圧ベルト３１は、前身頃３ｂの上で２個のベルト通し４ａ，４ａを通り（図１）、後身頃３ｂの上で４個のベルト通し４ｃ，４ｃ．．を通る（図２）ことで差し入れ抜き取り可能に保持されている。ベルト通しの数は適宜増減可能であり、取付位置や寸法比なども図示のものと異なっていても構わない（第２の押圧ベルト３３のベルト通しも同じ）。
【００３０】
一方、第２の押圧ベルト３３は、前身頃３ｂの外側の２個のベルト通し群４ｂ，４ｂ（図１）を通り、後身頃３ｃの外側の４個のベルト通し群４ｄ，４ｄ．．および同じく外側のベルト通し群４ｅ，４ｅを通ることで差し入れ抜き取り可能に保持されている。第２の押圧ベルト３３の特徴は、衣服本体３に対して上下に位置調整できるようになっていることである。すなわち、ベルト通し群４ｂとベルト通し群４ｄは、縦方向に複数（ここでは、いずれも３個。２個でも４個以上でもよい。）が並べられていて、いずれか一つを選択使用できるようになっている。図１および２に示すのは、一番下のベルト通し４ｂ，４ｅが選択された状態である。このように第２の押圧ベルト３３を高さ方向に位置調整できるようにしたのは、患者の体格に合わせて適切な押圧支持を可能とするためである。特に女性が使用する場合、胸の大きさや形状に合わせた位置調整ができるので、使い勝手がとてもよくなる。なお、ベルト通し群４ｅは、患者の体形により適合させるため用意したものであって、ベルト通し群４ｄの代わりに使用することができる。
【００３１】
（緩衝材の構成）
図１に示す符号３５は、第１の押圧ベルト３１と患者Ｐの胴体の間に介在して吊り下げ支柱７から受ける押圧力を緩衝するための緩衝材（クッション）である。緩衝材３５は、板状であって前身頃３ｂの裏側に設けられた収納ポケット（図示を省略）の中に収納されている。緩衝材３５には、厚手の布材などを使用可能であるが、発泡材のような軽くて緩衝効果の高い素材の使用が好ましい。緩衝材３５を設けることにより、第１の押圧ベルト３１を少しきつめにしても患者Ｐに痛いと思わせないで済む。これによって、押圧力を高め、吊り下げ支柱７の衣服本体７、ひいては患者Ｐに対する保持を効果的なものにすることができる。
【００３２】
なお、これまでの記述は、吊り下げ支柱７を前身頃３ｂの上に保持するものであった。これは、前身頃３ｂの上に保持するほうが点滴容器２１の様子を患者Ｐが観察しやすいと考えたからである。一方、患者Ｐの肉体的理由その他の何らかの理由により、前身頃３ｂの代わりに後身頃３ｃ上に、もしくは選択的使用を可能とするため前身頃３ｂと併せて後身頃３ｃ上に保持するほうが使い勝手がよい場合もあり得よう。したがって、後身頃３ｃ上に（もしくは、にも併せて）吊り下げ支柱７を保持可能とする場合は、上述した前身頃３ｂ上の部材、たとえば、縦細ポケット５などは前後逆にすればよい。
【００３３】
（保持衣服の着脱用手順）
図１ないし３を参照しながら着脱手順を説明する。まず着用手順から説明するがこれは一例であって、異なる手順の採用を妨げないことを付記しておく。点滴されている状態の患者Ｐがベッドを離れようとするとき、まず保持衣服１を着用してファスナー３ｄを閉める。着用する際に点滴針（図示を省略）とチューブ３３を外すことなく衣服本体３のアームホール３ｅに腕を通すことができる。脇ファスナー（図示を省略）も有する場合はこれを使用すれば、腕通しがより楽になる。こうした着衣のときバックル３１ａ，３３ａは開放状態のまま、すなわち押圧ベルト３１，３３の両端は開放されている。次に吊り下げ支柱７の下端を縦細ポケット５の上端開口５ａに差し入れる（図１の２点鎖線で示す吊り下げ支柱７は差し入れ前の状態）。次に、ベッド脇にある点滴スタンド（図示を省略）から点滴容器２１を外し、これを吊り下げ支柱７のフック９を吊り下げ孔３１ａを差し込んで点滴容器３１を吊り下げる（図１から３に示す状態。吊り下げてから差し入れる場合もある）。
【００３４】
吊り下げ支柱７が縦細ポケット５によってしっかりと保持されたことを確認できたら、バックル３１ａ，３１ｂを操作して第１の押圧ベルト３１と第２の押圧ベルト３３それぞれを縦細ポケット５の上から吊り下げ支柱７を押圧する。必要に応じてベルトの長さ調整を行うことで押圧度合いを調整する。併せて第２の押圧ベルト３３の高さ位置をベルト通しの変更により調整する。こうして点滴容器３１を吊り下げた状態の衣服本体３の着用を完了する。一方、ベッドに戻って脱衣するときは、まず、点滴容器を点滴スタンドに吊り下げ、その後は、上記の逆の手順で衣服本体３を脱げばよい。脇ファスナーも有する場合はこれを使用すると脱衣が楽になる。
【００３５】
以上示したように保持衣服１を着衣した患者Ｐは、両手を自由に使える状態でトイレや面会などに行くことができ、行動範囲を大きく広げることができる。車いすに乗った患者なども、同様にして点滴スタンドの束縛から逃れることができる。上記した保持衣服１の機能性は、患者の行動範囲をきわだって広げることができる。すなわち、病院などの室内に限らず、車、電車、さらに病状が許せば船舶や飛行機などを利用した外出を可能とする。さらに、被災地や船上、戦地など、スタンドが使えない状況での必要性が出た際にも利用できる。さらに、脱いだ衣服本体３は、これをたためば、かさばらずに収納できる点において、点滴スタンドに比べはるかに使いがってがよい。
【符号の説明】
【００３６】
１      点滴容器保持衣（ベスト）
３      衣服本体
３ａ    襟部
３ｂ    正面部（前身頃）
３ｃ    背中部（後見頃）
３ｄ    ファスナー
３ｅ    アームホール
５      縦細ポケット
５ａ  上端
５ｂ  底部
６  縦細ポケット（変形例）
７      吊り下げ支柱
９      フック（点滴容器吊り下げ構造）
２１      点滴容器
２３  チューブ
３１      第１の押圧ベルト
３１ａ  バックル
３３ａ  バックル
３３      第２の押圧ベルト
３５  緩衝部材
Ｐ      患者